(57)【要約】【課題】均一な強度分布の明るい画像を得られる小型な画像表示装置等を提供すること。【解決手段】少なくとも２つの固体光源である第１ＬＥＤ１０１ａ、第２ＬＥＤ１０１ｂと、ｐ偏光光を透過し、ｓ偏光光を反射する偏光ビームスプリッタ１０４と、偏光ビームスプリッタ１０４からの偏光光を、ｐ偏光光又はｓ偏光光へ変換する液晶パネル１０５と、固体光源からの光の強度分布を略均一にするためのロッドインテグレータ１０９と、ロッドインテグレータ１０９からの光のうち特定の波長領域の光を透過し、特定の波長領域とは異なる他の波長領域の光を反射するカラーフィルタ１１０と、カラーフィルタ１１０で反射され第１ＬＥＤ１０１ａの方向へ進行する光を反射するミラー１０７と、ロッドインテグレータ１０９からの光を画像信号に応じて変調する空間光変調装置１１１とを備える。【選択図】      図１
2005283818.tif 000002
【特許請求の範囲】
【請求項１】
光を供給する少なくとも２つの固体光源と、
第１の振動方向の偏光光を透過又は反射し、前記第１の振動方向に略直交する第２の振動方向の偏光光を反射又は透過することで、前記第１の振動方向の偏光光と前記第２の振動方向の偏光光とを照明方向へ導くための偏光光合成部と、
前記偏光光合成部からの偏光光を、前記第１の振動方向の偏光光又は前記第２の振動方向の偏光光へ変換する位相変調素子と、
前記固体光源からの光の強度分布を略均一にするためのロッドインテグレータと、
前記ロッドインテグレータからの光のうち特定の波長領域の光を透過し、前記特定の波長領域とは異なる他の波長領域の光を反射するカラーフィルタと、
前記ロッドインテグレータの前記位相変調素子側の端面に形成され、前記カラーフィルタで反射され前記固体光源の方向へ進行する光を反射する反射部と、
前記ロッドインテグレータからの光を画像信号に応じて変調する空間光変調装置と
を備えることを特徴とする画像表示装置。
【請求項２】
少なくとも２つの前記固体光源は、第１の固体光源と、第２の固体光源とからなり、
前記第１の固体光源と前記第２の固体光源とを交互に間欠点灯することを特徴とする請求項１に記載の画像表示装置。
【請求項３】
少なくとも２つの前記固体光源は、第１の固体光源と、第２の固体光源とからなり、
前記第１の固体光源を連続点灯し、前記第１の固体光源からの光の強度が所定値以下になったときに、前記第１の固体光源を消灯し、前記第２の固体光源を点灯することを特徴とする請求項１に記載の画像表示装置。
【請求項４】
前記偏光光合成部は、無機偏光板を有することを特徴とする請求項１に記載の画像表示装置。
【請求項５】
少なくとも２つの前記固体光源は、３つ以上の前記固体光源を有することを特徴とする請求項１に記載の画像表示装置。
【請求項６】
前記ロッドインテグレータは、内面に反射面が形成された中空形状であることを特徴とする請求項１に記載の画像表示装置。
【請求項７】
請求項１〜６のいずれか一項に記載の画像表示装置と、
前記画像表示装置からの光を投写する投写レンズとを有することを特徴とするプロジェクタ。
【発明の詳細な説明】
【技術分野】
【０００１】
本発明は、画像表示装置及びプロジェクタ、特に、固体光源と組み合わせて用いられる画像表示装置の技術に関するものである。
【背景技術】
【０００２】
従来、単独の液晶型空間光変調装置を用いる、いわゆる単板式プロジェクタにおいて、各画素にそれぞれ赤色光（以下、「Ｒ光」という。）、緑色光（以下、「Ｇ光」という。）、青色光（以下、「Ｂ光」という。）を照射する方法がある。単板式プロジェクタは、色光ごとに空間光変調装置を備えるいわゆる３板式プロジェクタに比較して、簡易で小型の構成にできる利点がある。単独の液晶型空間光変調装置を用いてフルカラー像を表示する、いわゆる単板式の場合、例えば、Ｒ光用画素、Ｇ光用画素、Ｂ光用画素を設け、各色光用画素にそれぞれＲ光、Ｇ光、Ｂ光を照射する構成とすることが考えられる。液晶型空間光変調装置の各画素にそれぞれＲ光、Ｇ光、Ｂ光を照射する技術としては、例えば、特許文献１に提案されているものがある。
【０００３】
【特許文献１】特許第２６２２１８５号明細書
【発明の開示】
【発明が解決しようとする課題】
【０００４】
特許文献１に提案されている構成を説明する。光源からの白色光は、Ｒ光、Ｇ光、Ｂ光をそれぞれ選択的に透過、反射させるカラーフィルタにより、Ｒ光、Ｇ光、及びＢ光に色分離される。そして、Ｒ光用画素と、Ｇ光用画素と、Ｂ光用画素との３画素について一つのマイクロレンズが配置されている。ここで、各光用カラーフィルタを経た光に、それぞれ角度を持たせる。これにより、カラーフィルタにより色分離されたＲ光は、対応するＲ光用の１画素に入射する。カラーフィルタにより色分離されたＧ光は、対応するＧ光用の１画素に入射する。さらに、カラーフィルタにより色分離されたＢ光は、対応するＢ光用の１画素に入射する。このように、３つの画素でＲ光、Ｇ光、Ｂ光を表現する。このような特許文献１の構成では、白色光を各光用カラーフィルタで色分離するため、照明光学系が大型化してしまい問題である。また、従来技術の構成では、均一な強度分布で、明るい画像を得ることも困難であり問題である。
【０００５】
本発明は、上述の問題に鑑みてなされたものであり、均一な強度分布の明るい画像を得られる小型な画像表示装置、及びこの画像表示装置を備えるプロジェクタを提供することを目的とする。
【課題を解決するための手段】
【０００６】
上述した課題を解決し、目的を達成するために、第１の本発明によれば、光を供給する少なくとも２つの固体光源と、第１の振動方向の偏光光を透過又は反射し、第１の振動方向に略直交する第２の振動方向の偏光光を反射又は透過することで、第１の振動方向の偏光光と第２の振動方向の偏光光とを照明方向へ導くための偏光光合成部と、偏光光合成部からの偏光光を、第１の振動方向の偏光光又は第２の振動方向の偏光光へ変換する位相変調素子と、固体光源からの光の強度分布を略均一にするためのロッドインテグレータと、ロッドインテグレータからの光のうち特定の波長領域の光を透過し、特定の波長領域とは異なる他の波長領域の光を反射するカラーフィルタと、ロッドインテグレータの位相変調素子側の端面に形成され、カラーフィルタで反射され固体光源の方向へ進行する光を反射する反射部と、ロッドインテグレータからの光を画像信号に応じて変調する空間光変調装置とを備えることを特徴とする画像表示装置を提供できる。
【０００７】
本発明は、少なくとも２つの固体光源を備える。固体光源は、いわゆる白色光を供給する光源が好ましい。ここで、白色光とは、スペクトル分布がブロードな波長領域の光と、スペクトル分布がＲ光、Ｇ光、Ｂ光のそれぞれにピーク波長を有する光との両者を含むものをいう。そして、例えば２つの固体光源の一方の光源を選択的に点灯し、他方を消灯する。これにより、一つの固体光源に供給する電流を所定値よりも大きくできる。このため、従来技術に比較して明るい光で空間光変調装置を照明できる。また、偏光光合成部は、第１の振動方向の偏光光、例えばｐ偏光光を透過する。さらに、偏光光合成部は、第２の振動方向の偏光光、例えばｓ偏光光を反射する。このため、偏光光合成部は、照明方向へ、ｐ偏光光とｓ偏光光とを交互に射出する。位相変調素子は、偏光光合成部からの偏光光を、第１の振動方向の偏光光又は第２の振動方向の偏光光へ変換する。例えば、位相変調素子は、偏光光合成部からｐ偏光が射出されているときは、ｐ偏光光をそのまま透過させる。これに対して、位相変調素子は、偏光光合成部からｓ偏光光が射出されているときは、位相を９０°回転させてｐ偏光光に変換する。位相変調素子として、例えば液晶パネルを用いることができる。これにより、照明方向へ特定の振動方向、例えばｐ偏光光を供給できる。さらに、振動方向の揃った偏光光は、ロッドインテグレータに入射する。入射光は、ロッドインテグレータ内において繰り返し反射をすることで、強度分布が略均一化されて射出する。さらに、ロッドインテグレータの照明方向側には、特定の波長領域の光を透過し、特定の波長領域とは異なる他の波長領域の光を反射するカラーフィルタが形成されている。例えば、Ｒ光を透過し、Ｇ光とＢ光とを反射するＲ光用カラーフィルタを考える。ロッドインテグレータからの光のうち、Ｒ光用カラーフィルタに入射したＲ光は、そのまま透過する。これに対して、ロッドインテグレータからの光のうち、Ｒ光用カラーフィルタに入射したＧ光、Ｂ光は、反射する。ロッドインテグレータの光源側の端面には、カラーフィルタで反射され固体光源の方向へ進行する光を反射する反射部が形成されている。このため、ロッドインテグレータ内を固体光源の方向へ進行するＧ光、Ｂ光は、反射部で再度、反射される。反射されたＧ光、Ｂ光は、ロッドインテグレータ内を進行し、カラーフィルタに至る。ここで、１回目に入射したカラーフィルタと異なるカラーフィルタ、例えばＧ光用カラーフィルタ、又はＢ光用カラーフィルタに入射する。これにより、Ｇ光、又はＢ光は、カラーフィルタを透過して照明方向へ射出される。２回目にカラーフィルタで透過されない光は、再度同じ工程を繰り返す。これにより、最終的には、光学部材に吸収される成分を除いて、すべての光がロッドインテグレータを射出できる。この結果、均一な強度分布で明るい光で空間光変調装置を照明できる。従って、均一な強度分布の明るい画像を得られる小型な画像表示装置を得ることができる。
【０００８】
また、本発明の好ましい態様によれば、少なくとも２つの固体光源は、第１の固体光源と、第２の固体光源とからなり、第１の固体光源と第２の固体光源とを交互に間欠点灯することが望ましい。２つの固体光源を交互に間欠点灯することにより、一つの固体光源に供給する電流値を、単体で連続点灯するときに比較して大きくできる。従って、従来技術よりも明るい画像を得ることができる。
【０００９】
また、本発明の好ましい態様によれば、少なくとも２つの固体光源は、第１の固体光源と、第２の固体光源とからなり、第１の固体光源を連続点灯し、第１の固体光源からの光の強度が所定値以下になったときに、第１の固体光源を消灯し、第２の固体光源を点灯することが望ましい。例えば、第１の固体光源を、従来技術よりも大きな電流値で駆動する。これにより、従来技術よりも明るい画像が得られる。このような、大きな電流値で固体光源を駆動すると、点灯寿命が短くなる。本態様では、第１の固体光源の点灯寿命が終了するときに、第２の固体光源に切替える。そして、第２の固体光源を従来技術よりも大きな電流値で連続点灯する。従って、明るい画像を得ることができる。
【００１０】
また、本発明の好ましい態様によれば、偏光光合成部は、無機偏光板を有することが望ましい。これにより、無機偏光板を、例えば、アルミニウム等の金属で簡便に偏光板を形成できる。また、偏光板は、偏光分離の角度依存性が偏光ビームスプリッタに比較して小さい。このため、効率良く偏光分離できる結果、光の利用効率が向上する。
【００１１】
また、本発明の好ましい態様によれば、少なくとも２つの固体光源は、３つ以上の固体光源を有することが望ましい。これにより、さらに明るい画像を得ることができる。
【００１２】
また、本発明の好ましい態様によれば、ロッドインテグレータは、内面に反射面が形成された中空形状であることが望ましい。これにより、全反射角度よりも大きい角度の光も内面で繰り返し反射させて用いることができる。従って、さらに光の利用効率が向上する。
【００１３】
また、第２の本発明によれば、上述の画像表示装置と、画像表示装置からの光を投写する投写レンズとを有することを特徴とするプロジェクタを提供できる。本プロジェクタは、上述の画像表示装置を備えている。このため、小型なプロジェクタで、明るい投写像を得ることができる。
【発明を実施するための最良の形態】
【００１４】
以下に図面を参照して、本発明の実施例を詳細に説明する。
【実施例１】
【００１５】
図１は、本発明の実施例１に係るプロジェクタ１００の概略構成を示す。本実施例では、固体光源として発光ダイオード（以下、「ＬＥＤ」という。）を用いる。第１の固体光源である第１ＬＥＤ１０１ａと、第２の固体光源である第２ＬＥＤ１０１ｂとは、白色光を供給する。ここで、白色光とは、スペクトル分布が連続的にブロードな波長領域の光と、スペクトル分布がＲ光、Ｇ光、Ｂ光のそれぞれに離散的にピーク波長を有する光との両者を含むものをいう。第１ＬＥＤ１０１ａと第２ＬＥＤ１０１ｂとは同一の構成である。このため、第１ＬＥＤ１０１ａを例に説明する。第１ＬＥＤ１０１ａから射出された光は、リフレクタ１０２ａにより、偏光ビームスプリッタ１０４側へ反射される。また、正の屈折力を有する集光レンズ１０３ａは、第１ＬＥＤ１０１ａから直接入射する光、及びリフレクタ１０２ａで反射された光を、後述する開口部１０８の位置へ集光させる。これにより、第１ＬＥＤ１０１ａからの光は、偏光ビームスプリッタ１０４の所定面へ入射する。第２ＬＥＤ１０１ｂからの光も、第１ＬＥＤ１０１ａからの光と同様に、偏光ビームスプリッタ１０４の他の面へ入射する。
【００１６】
偏光光合成部である偏光ビームスプリッタ１０４は、２つの三角プリズムを固着して構成されている。固着面には、誘電体多層膜からなる偏光膜１０４が形成されている。偏光膜１０４は、第１の振動方向の偏光光である例えばｐ偏光光を透過する。また、偏光膜１０４は、第１の振動方向に略直交する第２の振動方向の偏光光である例えばｓ偏光光を反射する。これにより、偏光ビームスプリッタ１０４は、第１ＬＥＤ１０１ａからの光のうちｐ偏光光成分を透過して照明方向へ射出する。また、偏光ビームスプリッタ１０４は、第２ＬＥＤ１０１ｂからの光のうちｓ偏光光成分を反射して照明方向へ射出する。なお、偏光膜１０４ａは、ｐ偏光光を反射し、ｓ偏光光を透過するように構成しても良い。
【００１７】
偏光ビームスプリッタ１０４を射出したｐ偏光光とｓ偏光光とは位相変調素子である液晶パネル１０５へ入射する。液晶パネル１０５は、安価で容易に使用できるという長所を有する。後述するように、第１ＬＥＤ１０１ａが点灯しているときは、第２ＬＥＤ１０１ｂは消灯している。また、第１ＬＥＤ１０１が消灯しているときは、第２ＬＥＤ１０１ｂが点灯している。そして、液晶パネル１０５は、入力信号に応じて入射光の振動方向を９０°回転させる。例えば、液晶パネル１０５は、第１ＬＥＤ１０１ａからのｐ偏光光が入射するときは、振動方向を回転させずに、そのままｐ偏光光として透過させる。これに対して、液晶パネル１０５は、第２ＬＥＤ１０１ｂからのｓ偏光光が入射するときは、入力信号に応じて振動方向を９０°回転させて、ｐ偏光光に変換して透過させる。これにより、液晶パネル１０５を透過した後は、振動方向の揃ったｐ偏光光を得られる。
【００１８】
液晶パネル１０５を透過したｐ偏光光は、ソリッドロッドインテグレータの機能を有する三角プリズム１０６の一方の面から入射する。三角プリズム１０６の入射面には、開口部１０８が形成されている。開口部１０８の周囲には、反射部であるミラー１０７が設けられている。集光レンズ１０３ａ、１０３ｂは、上述のように、開口部１０８近傍へ光を集光する。このため、第１ＬＥＤ１０１ａ、第２ＬＥＤ１０１ｂからの光は、効率良く三角プリズム１０６へ入射する。三角プリズム１０６へ入射したｐ偏光光は、斜面で反射されて光路を９０°折り曲げられる。光路を折り曲げられたｐ偏光光は、ロッドインテグレータ１０９へ入射する。ロッドインテグレータ１０９は、内面に反射面が形成された中空形状である。三角プリズム１０６は、ロッドインテグレータ１０９の一方の端面に固着されている。三角プリズム１０６とロッドインテグレータ１０９とで一体のインテグレータ光学素子として機能する。入射した光は、ロッドインテグレータ１０９内において繰り返し反射をすることで、強度分布が略均一化されて射出する。特に、中空形状のロッドインテグレータ１０９を用いることにより、全反射角度よりも大きい角度の光も内面で繰り返し反射させて用いることができる。従って、さらに光の利用効率が向上する。
【００１９】
ロッドインテグレータ１０９の照明方向側には、特定の波長領域の光を透過し、特定の波長領域とは異なる他の波長領域の光を反射するカラーフィルタ１１０が形成されている。カラーフィルタ１１０は、Ｒ光用カラーフィルタと、Ｇ光用カラーフィルタと、Ｂ光用カラーフィルタとの３つのカラーフィルタを一組として、複数の組のカラーフィルタから構成されている。Ｒ光用カラーフィルタは、Ｒ光を透過し他の色光を反射する。Ｇ光用カラーフィルタは、Ｇ光を透過し他の色光を反射する。Ｂ光用カラーフィルタは、Ｂ光を透過し他の色光を反射する。そして、各色光用カラーフィルタは、それぞれ空間光変調装置１１１の各画素に対応して形成されている。
【００２０】
ロッドインテグレータ１０９からの光のうち、Ｒ光用カラーフィルタに入射したＲ光は、そのまま透過する。これに対して、ロッドインテグレータ１０９からの光のうち、Ｒ光用カラーフィルタに入射したＧ光、Ｂ光は、反射する。上述したように、ロッドインテグレータ１０９と三角プリズム１０６との光源側の端面には、カラーフィルタ１１０で反射され第１ＬＥＤ１０１ａの方向へ進行する光を反射する反射部であるミラー１０７が形成されている。
【００２１】
ロッドインテグレータ１０９内を固体光源の方向へ進行するＧ光、Ｂ光は、ミラー１０７で再度、反射される。反射されたＧ光、Ｂ光は、ロッドインテグレータ１０９内を進行し、カラーフィルタ１１０に至る。ここで、１回目に入射したカラーフィルタ１１０と異なるカラーフィルタ１１０、例えばＧ光用カラーフィルタ、又はＢ光用カラーフィルタに入射する。これにより、Ｇ光、又はＢ光は、カラーフィルタ１１０を透過して照明方向へ射出される。２回目にカラーフィルタ１１０で透過されない光は、再度同じ工程を繰り返す。これにより、最終的には、光学部材に吸収される成分を除いて、すべての光がロッドインテグレータ１０９を射出できる。この結果、均一な強度分布で明るい光で空間光変調装置１１１を照明できる。このような、カラーフィルタ１１０を用いる光のリサイクルにより、従来技術に比較して、光の利用効率を例えば１．６倍程度向上できる。
【００２２】
空間光変調装置１１１は、入射光を画像信号に応じて変調して射出する。空間光変調装置１１１は、例えば透過型の液晶パネルを用いることができる。これにより、小型で、均一な強度分布の明るい画像を得られる。なお、第１ＬＥＤ１０１ａ、第２ＬＥＤ１０１ｂから空間光変調装置１１１までにより画像表示装置を構成する。
【００２３】
投写レンズ１１２は、空間光変調装置１１１で変調された画像を拡大してスクリーン１１３へ投写する。これにより、明るく、均一な強度分布のフルカラー投写像を得ることができる。
【００２４】
図２−１、図２−２を参照して、第１ＬＥＤ１０１ａ、第２ＬＥＤ１０１ｂの点灯タイミングを説明する。本実施例では、上述のように、２つのＬＥＤ１０１ａ、１０１ｂの一方を選択的に点灯し、他方を消灯する。これにより、一つのＬＥＤに供給する電流を所定値よりも大きくできる。このため、従来技術に比較して明るい光で空間光変調装置１１１を照明できる。例えば、図２−１は、横軸に点灯時間Ｔ、縦軸は任意の光強度Ｉをそれぞれ示す。図２−１では、まず初めに、第１ＬＥＤ１０１ａを斜線を付す点灯時間Ｔ１だけ連続点灯する。そして、第１ＬＥＤ１０１ａからの光の強度が所定値以下になったとき、例えば第１ＬＥＤ１０１ａの点灯寿命が終了するとき、第１ＬＥＤ１０１ａを消灯し、第２ＬＥＤ１０１ｂを点灯する。そして、第１ＬＥＤ１０１ａ、第２ＬＥＤ１０１ｂを、従来技術よりも大きな電流値で駆動する。本実施例では、例えば、定格電流値の略１．３倍程度の電流値で駆動している。これにより、従来技術よりも明るい画像が得られる。このような、大きな電流値で固体光源であるＬＥＤを駆動すると、点灯寿命が短くなる。本態様では、第１ＬＥＤ１０１ａの点灯寿命が終了するときに、第２ＬＥＤ１０１ｂに切替える。そして、第２ＬＥＤ１０１ｂを連続点灯する。従って、従来の単独のＬＥＤを備える光源と同じ点灯寿命時間Ｔｅｎｄで、かつ明るい画像を得ることができる。
【００２５】
点灯タイミングの他の例を図２−２を参照して説明する。第１ＬＥＤ１０１ａを斜線を付す時間Ｔ３だけ点灯した後に、第２ＬＥＤ１０１ｂを時間Ｔ４だけ点灯する。そして、第１ＬＥＤ１０１ａと第２ＬＥＤ１０１ｂとを交互に間欠点灯する。２つの固体光源を交互に間欠点灯することにより、一つの固体光源であるＬＥＤに供給する電流値を、単体で連続点灯するときに比較して大きくできる。従って、従来の単独のＬＥＤを備える光源と同じ点灯寿命時間Ｔｅｎｄで、かつ明るい画像を得ることができる。ここで、空間光変調装置１１１は、画像信号の１フレームを６０Ｈｚの信号で駆動している。このため、位相変調素子である液晶パネル１０５の切り替え周期と、ＬＥＤの点灯切り替え周期とを、例えば６０Ｈｚとすることができる。
【実施例２】
【００２６】
図３は、本発明の実施例２に係るプロジェクタ２００の概略構成を示す。本実施例では、３つのＬＥＤを用いる点が上記実施例１と異なる。実施例１と同一の部分には同一の符号を付し、重複する説明は省略する。本実施例では、第１ＬＥＤ２０１ａと、第２ＬＥＤ２０１ｂと、第３ＬＥＤ２０１ｃとの３つのＬＥＤを備えている。各ＬＥＤとも白色光を供給する。実施例１と同様に、第１ＬＥＤ２０１ａ近傍には、リフレクタ２０２ａと集光レンズ２０３ａとが配置されている。第２ＬＥＤ２０１ｂ近傍には、リフレクタ２０２ｂと集光レンズ２０３ｂとが配置されている。リフレクタ２０２ａ、２０２ｂと、集光レンズ２０３ａ、２０３ｂとは、ＬＥＤ２０１ａ、２０１ｂからの光を開口部１０８近傍へ集光するような屈折力を有する。第１ＬＥＤ１０１ａと第２ＬＥＤ１０１ｂとからの光は、偏光ビームスプリッタ２０４で合成されて射出される。合成された光は、偏光変換素子である液晶パネル２０５により、ｓ偏光光に揃えられる。ｓ偏光光に揃えられた光は、偏光ビームスプリッタ２１４へ入射する。
【００２７】
また、第３ＬＥＤ２０１ｃからの光は、リフレクタ２０２ｃと、集光レンズ２０３ｃとにより開口部１０８近傍に集光される。第３ＬＥＤ２０１ｃからの光も偏光ビームスプリッタ２１４へ入射する。偏光ビームスプリッタ２１４は、ｐ偏光光を透過し、ｓ偏光光を反射して射出する。偏光変換素子である液晶パネル２１５は、入射光を例えばｐ偏光光に揃えて射出する。
【００２８】
ｐ偏光光に揃えられた３つのＬＥＤ２０１ａ、２０１ｂ、２０１ｃからの白色光は、実施例１で説明したものと同様の光路を進行して、空間光変調装置１１１へ入射する。本実施例では、３つのＬＥＤ２０１ａ、２０１ｂ、２０１ｃを交互に間欠点灯する。これにより、一つのＬＥＤの点灯時間を実施例１に比較してさらに短くできる。この結果、一つのＬＥＤへ流す電流値をさらに大きくできるので、より明るい照明ができる。また、図２−１を用いて説明したように、各ＬＥＤ２０１ａ、２０１ｂ、２０１ｃを点灯寿命が尽きるまで順番に点灯しても良い。
【実施例３】
【００２９】
図４は、本発明の実施例３に係るプロジェクタ３００の概略構成を示す。本実施例では、偏光ビームスプリッタの代わりに、反射型偏光板３０４を用いている点が上記実施例１と異なる。実施例１と同一の部分には同一の符号を付し、重複する説明は省略する。
【００３０】
反射型偏光板として、無機偏光板３０４を用いることができる。無機偏光板３０４の例として、金属製、例えばアルミニウム製の偏光板を挙げることができる。反射型の無機偏光板は、偏光ビームスプリッタに比較して、偏光分離特性の入射角度依存性が小さい。これにより、効率良くＬＥＤからの光を用いることができる。また、無機偏光板３０４をアルミニウム等の金属で簡便に形成できる。
【００３１】
上記各実施例で述べたように、本発明によれば、小型なプロジェクタで、明るい均一な強度分布の投写像を得ることができる。また、白色光を供給する各ＬＥＤは、Ｒ光チップとＧ光チップとＢ光チップとを備えるタイプ、及び蛍光体を用いて白色光を射出するタイプのいずれでも良い。さらに、位相変調装置は、液晶パネルに限られない。例えば、磁気的に偏光を高速に切り替える変調素子等を用いることでもできる。加えて、空間光変調装置として透過型液晶表示装置を設けたプロジェクタに限らず、例えば、反射型液晶表示装置を用いたプロジェクタであっても良い。
【図面の簡単な説明】
【００３２】
【図１】本発明の実施例１に係るプロジェクタの概略構成図。
【図２−１】実施例１の点灯タイミングの説明図。
【図２−２】実施例１の他の点灯タイミングの説明図。
【図３】本発明の実施例２に係るプロジェクタの概略構成図。
【図４】本発明の実施例３に係るプロジェクタの概略構成図。
【符号の説明】
【００３３】
１００  プロジェクタ、１０１ａ、１０１ｂ  ＬＥＤ、１０２ａ、１０２ｂ  リフレクタ、１０３ａ、１０３ｂ  集光レンズ、１０４  偏光ビームスプリッタ、１０４ａ  偏光膜、１０５  液晶パネル、１０６  三角プリズム、１０７  ミラー、１０８  開口部、１０９  ロッドインテグレータ、１１０  カラーフィルタ、１１１  空間光変調装置、１１２  投写レンズ、１１３  スクリーン、２００  プロジェクタ、２０１ａ、２０１ｂ、２０１ｃ  ＬＥＤ、２０２ａ、２０２ｂ、２０２ｃ  リフレクタ、２０３ａ、２０３ｂ、２０３ｃ  集光レンズ、２０４、２１４  偏光ビームスプリッタ、２０４ａ、２１４ａ  偏光膜、２０５、２１５  液晶パネル、３００  プロジェクタ、３０４  反射型偏光板
【図１】
2005283818.tif 000003
【図２−１】
2005283818.tif 000004
【図２−２】
2005283818.tif 000005
【図３】
2005283818.tif 000006
【図４】
2005283818.tif 000007